(57)【要約】【課題】  高効率のコンパクトな磁化活性水製造装置を提供する。【解決手段】  直径が小さなペレット形のネオジム（Ｎｄ）系永久磁石をステンレス製の管の中に同じ極が相互に向かい合うように配置させた磁石棒を構成して、多数個の磁石棒を放射状に配置して磁場と水の接触面積を向上させて水の構造を変更して活性化させることができる磁化活性水製造装置であり、固定磁石棒及び標準磁石棒と、それらの上・下側端部に結合される上・下部板と、前記上・下部板の間に介在する間隔板からなる磁石組立体、該磁石組立体が収容される内部空間を有し上側が開放された円筒形状体で、下側が流路を有する漏斗形状に形成されたハウジング、及び該ハウジングの上部に分離可能に結合され、上側が流路を有する漏斗形状に形成された覆いを含み構成する。【選択図】      図１
2007181817.tif 000002
【特許請求の範囲】
【請求項１】
磁石組立体１０と、該磁石組立体は、複数個の固定磁石棒１１及び標準磁石棒１３、前記固定磁石棒１１及び標準磁石棒１３の上端及び下端にそれぞれ係合される上部板１４ａ及び下部板１４ｂ、及び該上部板と下部板の間にこれらと離間して設けられる間隔板１６からなることと、ハウジング３０と、該ハウジングは、前記磁石組立体１０を収容するための内部空間を有する円筒形状体に形成されるとともに、その上部は開放され、かつその下部は流路３０ａを有する漏斗形状に形成されていることと、該ハウジング３０の上部に着脱可能に結合され、及びその上部は流路５０ａを有する漏斗形状に形成された覆い５０とを備える、磁化活性水製造装置。
【請求項２】
前記固定磁石棒１１及び標準磁石棒１３が、ステンレスからなることを特徴とする、請求項１記載の磁化活性水製造装置。
【請求項３】
前記固定磁石棒１１及び標準磁石棒１３が、合成樹脂からなることを特徴とする、請求項１記載の磁化活性水製造装置。
【請求項４】
前記固定磁石棒１１及び標準磁石棒１３の内部には、複数個のペレット形状の永久磁石１１ａ、１３ａが、同じ極が向かい合うように配列されることを特徴とする、請求項１記載の磁化活性水製造装置。
【請求項５】
前記永久磁石１１ａ、１３ａが、ゴバルト／ニッケル系またはネオジムからなることを特徴とする、請求項４記載の磁化活性水製造装置。
【請求項６】
前記永久磁石１１ａ、１３ａの間隔を最小限の間隔に維持するための磁石間隔板１１ｈ、１３ｈが介在することを特徴とする、請求項４記載の磁化活性水製造装置。
【請求項７】
前記固定磁石棒１１及び標準磁石棒１３が、棒状体形状に形成され、その上端及び下端にはそれぞれ上端栓１１ｂ、１３ｂ及び下端栓１１ｃ、１３ｃが気密溶接による溶接部１１ｄ、１３ｄによって接合されることを特徴とする、請求項１記載の磁化活性水製造装置。
【請求項８】
前記固定磁石棒１１の上端栓には止め具１１ｆを形成し、前記下端栓には前記止め具１１ｆと対応する形状の止め具収容部１１ｇを形成して、前記止め具１１ｆと止め具収容部１１ｇを相互に係合可能とすることを特徴とする、請求項７記載の磁化活性水製造装置。
【請求項９】
前記止め具１１ｆには平ワッシャー１１ｊ、スプリングワッシャー１１ｉが順次に具備されることを特徴とする、請求項８記載の磁化活性水製造装置。
【請求項１０】
前記止め具１１ｆの外周面の適所にはネジ切り部１１ｍを形成することと、該ネジ切り部１１ｍには六角ナット１１ｋを締結することを特徴とする、請求項８記載の磁化活性水製造装置。
【請求項１１】
前記固定磁石棒１１の下端栓１１ｃの適所には棒端栓突起１１ｅを形成することを特徴とする、請求項７記載の磁化活性水製造装置。
【請求項１２】
前記固定磁石棒１１の外周面には円筒形状体に形成された間隔管１５、１５'を設け、
該間隔管１５、１５'は前記間隔板１６を固定磁石棒１１の中心部に位置させるために間
隔板１６の上部及び下部に各々設けられることを特徴とする、請求項１記載の磁化活性水製造装置。
【請求項１３】
前記固定磁石棒１１及び標準磁石棒１３の外周面に陰イオンまたは遠赤外線放出天然石またはセラミックスを単独または混合コーティング処理することを特徴とする、請求項１記載の磁化活性水製造装置。
【請求項１４】
前記上部板１４ａ及び下部板１４ｂは円板形状体であるとともに、前記上部板１及び下部板には、固定磁石棒１１を挿入するための多数個の設置孔１４ｃ、１４ｆと流孔１４ｅ、１４ｈとを規則的に貫通形成し、かつ、上部板及び下部板の片面にはスプリングワッシャー１３ｉを有し、標準磁石棒１３を固定するための多数個の設置ホーム１４ｄ、１４ｇを規則的に形成することを特徴とする、請求項１記載の磁化活性水製造装置。
【請求項１５】
前記上部板１４ａ及び下部板１４ｂに貫通形成する各流孔１４ｅ、１４ｈの直径が互いに異なることを特徴とする、請求項１４に記載の磁化活性水製造装置。
【請求項１６】
前記上部板１４ａ及び下部板１４ｂに貫通形成する各流孔１４ｅ、１４ｈの直径が同一であることを特徴とする、請求項１４記載の磁化活性水製造装置。
【請求項１７】
前記上部板１４ａ及び下部板１４ｂは円板形状体であるとともに、前記上部板１及び下部板には、固定磁石棒１１を挿入するための多数個の設置孔１４ｃ、１４とび流孔１４ｅ、１４ｈとを不規則的に貫通形成し、かつ、上部板及び下部板の片面にはスプリングワッシャー１３ｉを有し、標準磁石棒１３を固定するための多数個の設置ホーム１４ｄ、１４ｇを規則的に形成することを特徴とする、請求項１記載の磁化活性水製造装置。
【請求項１８】
前記上部板１４ａ及び下部板１４ｂが円板形状体で、その中心部に中央孔１４ｉ及び中央支持台１４ｊを形成し、前記中央孔１４ｉ及び中央支持台１４ｊを基準にその外側円周方向に多数個の設置孔１４ｃ、１４ｆと設置ホーム１４ｄ、１４ｇを順次に形成して、前記各設置孔１４ｃ、１４ｆに固定磁石棒１１を挿入設置して、前記設置ホーム１４ｄ、１４ｇに標準磁石棒１３が安着設置されるように構成することを特徴とする磁化活性水製造装置。
【請求項１９】
前記間隔板１６が、円板形状体で、多数個の間隔孔１６ｃ及び流孔１６ａを規則的に貫通形成し、前記各間隔孔１６ｃに固定磁石棒１１及び標準磁石棒１３を挿入設置するように構成することを特徴とする、請求項１記載の磁化活性水製造装置。
【請求項２０】
前記間隔板１６に貫通形成する各流孔１６ａの直径が互いに異なるように構成することを特徴とする、請求項１９記載の磁化活性水製造装置。
【請求項２１】
前記間隔板１６に貫通形成する各流孔１６ａの直径が同一であることを特徴とする、請求項１９記載の磁化活性水製造装置。
【請求項２２】
前記間隔板１６が、円板形状体で、多数個の間隔孔１６ｃ及び流孔１６ａを不規則的に貫通形成し、前記各間隔孔１６ｃに固定磁石棒１１及び標準磁石棒１３を挿入設置するように構成することを特徴とする、請求項１記載の磁化活性水製造装置。
【請求項２３】
前記間隔板１６の中心部に中央間隔孔１６ｂを貫通形成し、該中央間隔孔１６ｂを基準にその外側円周方向に多数個の間隔孔１６ｃを貫通形成することを特徴とする、請求項１記載の磁化活性水製造装置。
【請求項２４】
前記ハウジング３０及び覆い５０が、ステンレスからなることを特徴とする、請求項１記載の磁化活性水製造装置。
【請求項２５】
前記ハウジング３０及び覆い５０が、合成樹脂からなることを特徴とする、請求項１記載の磁化活性水製造装置。
【請求項２６】
前記ハウジング３０及び覆い５０の内周面と外周面に陰イオンまたは遠赤外線放出天然石またはセラミックスを単独または混合コーティング処理することを特徴とする、請求項１記載の磁化活性水製造装置。
【請求項２７】
前記ハウジング３０が、その上側開口部内周面に環形の内部オーリング３１を有する内部オーリング密着部３４を円周方向に形成することを特徴とする、請求項１記載の磁化活性水製造装置。
【請求項２８】
前記ハウジング３０が、その上側開口部端部に環形の外部オーリング３２を有する外部オーリングホーム３５を円周方向に形成することを特徴とする、請求項２７記載の磁化活性水製造装置。
【請求項２９】
前記ハウジング３０内側下部の適所に前記磁石組立体１０を固着させるための固着突起３７を円周方向に形成することを特徴とする、請求項１記載の磁化活性水製造装置。
【請求項３０】
前記ハウジング３０及び覆い５０の下側外周面及び上側外周面の適所に連結ネジ切り部３３、５３を各々形成することを特徴とする、請求項１記載の磁化活性水製造装置。
【請求項３１】
前記ハウジング３０及び覆い５０の上側内周面及び下側外周面の適所にメスオス形状の組み立てネジ切り部３６、５６を結合可能に各々形成することを特徴とする、請求項１記載の磁化活性水製造装置。
【請求項３２】
前記ハウジング３０及び覆い５０の上側外周面及び下側外周面の所定位置に８角形状の８角部３８、５８を各々形成することを特徴とする、請求項１記載の磁化活性水製造装置。
【請求項３３】
前記磁石組立体１０の上・下側外周面に弾性を有する環形の収縮性ゴムリング１８を各々具備して、前記磁石組立体１０が既存の水管に直接設置可能に構成することを特徴とする、請求項１記載の磁化活性水製造装置。
【発明の詳細な説明】
【技術分野】
【０００１】
本発明は、磁化活性水製造装置に関する。より詳細には、ステンレス製の管の中にペレット形のネオジム（Ｎｄ）系永久磁石を同じ極が相互に向かい合うように配置させてなる磁石棒を放射状に多数個配置させた磁化活性水製造装置に関する。これによると、磁場と水の接触面積を向上させて水の構造を変化させて活性化できる
【背景技術】
【０００２】
一般的に水の形態や構造を一部変化させて水を活性化する方法としては、加熱、赤外線、紫外線、遠赤外線、ガンマ線などを照射する方法と、電気を利用する電気分解方法及び磁力による磁化処理方法などが広く知られている。
【０００３】
磁気による磁化処理方法としては、電磁石及び／Ｅｈｓｍｓ永久磁石による磁化処理が周知である。該磁化処理方法は、水道水、地下水、天然水などの飲用水、農業用水、産業用水等の水の構造を変化させることにより、生物の生命を維持するための機能水を製造するのに非常に有益な方法である。それのみならず、その使用の便利性、有効性、経済性の側面で、その他の方法による水の活性化方法に比べて優れた競争力を有している。
【０００４】
一方、このような従来の磁化活水器の形態は、磁力が弱い酸化鉄素材の磁石を使用するため磁気自体が弱かった。また、従来は主に平坦型の磁石を使用していた。
例えば、水道管の外面に平板の磁石をＮ極とＳ極が相互に向かい合うように固定して、水道管の内部に磁場を形成して、水をその中を通過させることによって活性化させる。
【０００５】
しかし、上述したような構造を有する従来の磁化活水器は、たとえ磁力が強い（１０、０００Ｇ以上のものも実用化されている）希土類元素であるネオジム（Ｎｄ）を使用したとしても、水道管の外周外側において、水道管を挟んで上下に磁石上（０度）、下（１８０度）の配列形態で装置を装着固着すれば、水道管の内部に均一な分布度の磁場を形成することができないという根本的な問題点を内包している。即ち、左、右（９０度、２７０度）方向には、磁力が弱く分布せざるを得ない。また、水道管外周の一定領域のみに磁場を形成した場合も、磁場を形成しない領域との磁場の強さが異なることとなる。
【０００６】
また、水道管の直径サイズによって中央部における磁場の強さが異なるため、均一な磁場を提供することができないという問題点があった。即ち、磁場の強さは、距離の自乗に反比例して現われるので水道管の外側接触地点から管の中心方向に距離が遠くなるにつれて磁場の強さは急激に減少し、水道管の直径のサイズによって中央部に伝達する磁場の強さが変わるという問題点があった。
【０００７】
ここで、上述した平板の磁石を使う場合の問題点を解決するために、磁力分布度を向上させるための扇形の永久磁石を導入して水道管に直接連結して使用できる装置が提案されたが、これもまた磁場の強さが各々異なるという問題点があった。
【０００８】
その外に、永久磁石を内蔵した水管と直接連結して使用できる様々な形態の磁化活水器が製作され、国内外で市販されているが、これも、上述したように磁場の強さが各々異なり、相変らず距離による磁力の減少という問題点を内包していた。
【０００９】
上述したような問題点を改善するためには、原則的に二つの側面を考慮しなければならない。
第一に、磁化処理の対象物質である水は、上述したように諸般の要因の変化にしたがっ
て構造と特性も共に変わるようになる。
【００１０】
即ち、液体で存在する水分子は、単一のＨ２Ｏ分子の集合体として存在するのではなく、水の分子間の水素結合、即ち水の分子の電気陰性度が大きい酸素原子と電気陰性度が小さな水素原子間の引力が生成され、この水素結合によって多数の水の分子が集まった状態（クラスター）を成している。
【００１１】
最近報告された資料によると、水素結合によって２８０個の水の分子で構成された直径が約３ナノメートル（ｎｍ）の正２０面体とその内部に正１２面体（直径３．９４オングストロング）が入っている形態で、その間には空洞（Cavity）が形成され、正１２面体内部にはこれよりもっと小さな水クラスターが入っていて全体的に見ると、いくつかの球形の殻で構成されている。
【００１２】
この空洞にＣａのような構造形成イオンや溶質が内包されていることが知られている。ここで、水を磁化処理すれば水素結合が切断されて水の大きいクラスターが小さなものに変化して、それによって水の生体吸水性がよくなり、さらに優れた生体機能水としての役目が可能になる。
【００１３】
最近の報告によると、細胞の中には水が入ることができる通路（aquaphorin）が別に存在し、単一水分子形態だけがそこを通過することが可能である。即ち、クラスターの大きさを定量的に測定することができる酸素１７ＮＭＲ（１７Ｏ−ＮＭＲ）分析法が報告されたことがある。その根拠としては、ＮＭＲスペクトルの半分まで幅が細くなる程度によってクラスターも小さくなるという主張である。
【００１４】
しかし、これは水のｐＨ、溶質の濃度及び種類によって大きく左右されるため、測定結果からクラスターの大きさがいくらなのか、正常的には分からないという意見が台頭した。
【００１５】
このような理由で、今まで学界では論議が多かったが、２００５年２月に日本の財団法人である「機能水研究振興財団」は、現時点では１７Ｏ−ＮＭＲ信号幅の測定結果からクラスターのサイズがいくらなのか正常的に分からないという結論を下した。
【００１６】
上記のように、水が生体に効率的に吸収されるためにはクラスターが一旦、小さくならなければならないことは共通した見解である。
水クラスターで水素結合が維持され得る寿命は、１〜２０ピコ秒（ｐｓ）、切断した水素結合の寿命は０．１ピコ秒( ｐｓ）、即ち１０兆分の１秒に当たる非常に短い時間であり、この水素結合が切断してからまた形成されることを繰り返しながら平衡状態に到達するようになる。
【００１７】
したがって、水が小さなクラスター形態を安定的に維持するためには、純粋な水の分子だけでは不可能なことで、いろんな外部要因、即ち水中に溶けている溶質等によって大きく左右される。
【００１８】
上述したように、Ｃａのような構造形成イオンは水の正１２面体構造の安定化に寄与する一方、正２０面体構造はクラスター同士で凝集する性質があり、さらに大きなクラスターを形成するようになって、細胞内吸水性が減少すると言われている。特に、構造破壊性イオンまたは有害物質が存在する時は、水の分子のもつれ現象がさらに酷くなると言われている。
【００１９】
長期間にわたる使用者たちの経験によれば、磁化処理された活性水を人を含めた動植物
が飲むようになれば、生育状態が好転する等の多くの効果が現われることが知られていて、このような水の神秘的な特性を現代科学では、いまだに糾明することができないが、これから解決しなければならない宿題として残っている。
【００２０】
第二に、磁化活水装置の構造、即ち磁石の形態、磁力の大きさ、磁場の分布度、磁石の配列方法などによって水の磁化処理能力が大きく左右される。
したがって、従来の技術のように磁化装置を一部補完または改善して、磁場を通過する水の流れ形態を偏流から渦流に変えることで流速を増加させたり、装置の長さを長くして水が通過する時間を長くしたりする方法等は、根本的な解決策にならず、ゆえに根本的な解決策を捜すことが至急な実情である。
【発明の開示】
【発明が解決しようとする課題】
【００２１】
本発明は、前記の問題点を解決するために案出されたもので、直径が小さなペレット形のネオジム（Ｎｄ）系永久磁石をステンレス製の管の中に同じ極が相互に向かい合うように配置させた磁石棒を構成して、多数個の磁石棒を放射状に配置することにより磁場と水の接触面積を向上させて水の大きなクラスター構造を小さなものに変更して活性化させる。また、磁石棒に陰イオン及び遠赤外線放出天然石またはセラミックスをコーティング処理することにより、シナジー効果を得ることができる。
【００２２】
また、本装置は分解可能な構造からなり、脱着が容易いで洗浄及び維持補修が簡便であり、既存の水道管などの水管連結部位に直接的な連結が可能なだけではなく、水管内部に直接設置が可能で使用の便宜性を向上させ、水を効率的に活性化させることができる磁化活性水製造装置を提供することを目的とする。
【００２３】
本発明による磁化活性水製造装置に水を通過させて水を滅菌させることにより各種水因性疾患を予防するだけでなく、浄水場またはプールで使用する塩素消毒薬である次亜塩素酸ナトリウムの使用を減少させることができる。また、水の比熱が減少することにより水を加熱するのに必要なエネルギーを節約することができ、洗剤の使用量を減らしても同一な洗浄効果を得ることができる。さらに、水だけではなく、血液の活性化及び灯油、軽油、ガソリン等の各種流体にも適用可能である。
【課題を解決するための手段】
【００２４】
前記の目的を達成するために本発明は、磁石組立体と、該磁石組立体は、複数個の固定磁石棒及び標準磁石棒、前記固定磁石棒及び標準磁石棒の上端及び下端に係合される上部板・下部板、該上部板・下部板の間にこれらと離間して設けられる間隔板からなることと、ハウジングと、該ハウジングは磁石組立体を収容するための内部空間を有する円筒形状体で形成されるとともに、その上側は開放され、その下側は流路を有する漏斗形状に形成されていることと、該ハウジングの上部に分離可能に結合され、その上側は流路を有する漏斗形状に形成された覆いとを含んでなることを特徴とする。
【００２５】
前記固定磁石棒及び標準磁石棒がステンレス材質からなることが好ましいが、合成樹脂材質からなることも可能である。
一方、前記固定磁石棒及び標準磁石棒は、その内部に同じ極が向かい合うように相互対称のペレット形状の永久磁石を多数個積層配列する。
【００２６】
前記永久磁石には、ゴバルト／ニッケル系またはネオジムを使用することが好ましい。
一方、前記各永久磁石の間に所定の厚さを有し、各永久磁石間の間隔を最小限の間隔で維持させるために磁石間隔板を介在させる。
【００２７】
前記固定磁石棒及び標準磁石棒は、棒状体形状に形成することが好ましく、その上端及び
下端には、それぞれ上端栓及び下端栓を気密溶接による溶接部によって接合する。
【００２８】
さらに、前記固定磁石棒の上端栓に止め具を形成し、前記下端栓に前記止め具と対応する形状の止め具収容部を形成して、前記止め具と止め具収容部を係合可能に構成する。
一方、前記止め具には平ワッシャー、スプリングワッシャーを順次具備する。
【００２９】
合わせて、前記止め具の外周面の適所にはネジ切り部を形成して、該ネジ切り部には六角ナットを具備する。
そして、前記固定磁石棒の下端栓の適所には突起を形成する。
【００３０】
一方、前記固定磁石棒の外周面には円筒形状体に形成された間隔管を具備し、該間隔管は前記間隔板を固定磁石棒の中心部に位置させるために間隔板の上・下部に各々具備される。
【００３１】
前記固定磁石棒及び標準磁石棒の外周面は、陰イオンまたは遠赤外線放出天然石またはセラミックスを単独または混合コーティング処理することが好ましい。
一方、前記上・下部板は円板形状体で、多数個の設置孔及び流孔を規則的に貫通形成される。その一側面にスプリングワッシャーを有する多数個の設置ホームを規則的に形成して、前記各設置孔に固定磁石棒を挿入設置し、前記設置ホームに標準磁石棒を安着設置する。
【００３２】
前記上・下部板に貫通形成する各流孔の直径を互いに異なるように不規則的に形成されることが好ましいが、前記上・下部板に貫通形成する各流孔の直径を相互に等しく形成することも可能である。
【００３３】
一方、前記上・下部板は円板形状体で、多数個の設置孔及び流孔を不規則的に貫通形成する。その一側面にスプリングワッシャーを有する多数個の設置ホームを規則的に形成し、前記各設置孔に固定磁石棒を挿入設置して、前記設置ホームに標準磁石棒を安着設置する。
【００３４】
また、前記上部板・下部板は円板形状体で、その中心部に中央孔及び中央支持台を形成して、前記中央孔及び中央支持台を基準にその外側に円周方向に多数個の設置孔と設置ホームを順次に形成して、前記各設置孔に固定磁石棒を挿入設置し、前記設置ホームに標準磁石棒を安着設置する。
【００３５】
ここで、前記間隔板は円板形状体で、多数個の間隔孔及び流孔を規則的に貫通形成する。前記各間隔孔に固定磁石棒及び標準磁石棒を挿入設置する。
前記間隔板に貫通形成する各流孔の直径を互いに異なるように不規則的に構成することが好ましいが、前記間隔板に貫通形成する各流孔の直径を相互に等しくすることもできる。
【００３６】
一方、前記間隔板は円板形状体で、多数個の間隔孔及び流孔を不規則的に貫通形成する。前記各間隔孔に固定磁石棒及び標準磁石棒を挿入設置する。
前記間隔板の中心部に中央間隔孔を貫通形成し、該中央間隔孔を基準にその外側に円周方向に多数個の間隔孔を貫通形成することが好ましい。
【００３７】
ここで、前記ハウジング及び覆いは、ステンレス材質であるが、前記ハウジング及び覆いは合成樹脂材質からなることが好ましい。
一方、前記ハウジング及び覆いの内周面と外周面に陰イオンまたは遠赤外線放出天然石またはセラミックスを単独または混合コーティング処理する。
【００３８】
ここで、前記ハウジングは、その上側開口部の内周面に環形の内部オーリングを有する内部オーリング密着部を有する。
さらに、前記ハウジングは、その上側開口部端部に環形の外部オーリングを有する外部オーリングホームを有する。
【００３９】
一方、前記ハウジング内側下部の適所に前記磁石組立体を安着させるための安着突起を円周方向に形成する。
ここで、前記ハウジング及び覆いの下側外周面及び上側外周面の適所に連結ネジ切り部を各々形成する。
【００４０】
そして、前記ハウジングの上側内周面  及び覆いの下側外周面の適所にメスオス形状の組み立てネジ切り部を結合可能に各々形成する。
一方、前記ハウジングの上側外周面及び覆いの下側外周面の所定位置に８角形状の８角部を各々形成する。
【００４１】
前記磁石組立体の上・下側外周面に弾性を有する環形の収縮性ゴムリングを各々具備して、前記磁石組立体が既存の水管に直接設置されるよう構成することが好ましい。
以下、本発明による実施例を添付した例示図面を参照して詳細に説明する。図１は本発明による磁化活性水製造装置を概略的に示した断面図で、図２はＡ−Ａ' 線での断面図で、図３はＢ−Ｂ' 線での断面図で、図４は本発明による磁化活性水製造装置の磁石組立体を概略的に示した平面図で、図５はＣ−Ｃ' 線での断面図で、図６は本発明による磁化活性水製造装置の磁石組立体に適用される固定磁石棒を概略的に示した断面図で、図７は本発明による磁化活性水製造装置の磁石組立体に適用される標準磁石棒を概略的に示した断面図で、図８は本発明による磁化活性水製造装置のハウジングと覆いを概略的に示した断面図で、図９はＤ−Ｄ' 線での断面図で、図１０はＥ−Ｅ' 線での断面図である。
【００４２】
図面に示しているように、本発明による磁化活性水製造装置１は、磁石組立体１０とハウジング３０及び覆い５０で構成される。
前記磁石組立体１０は、その内部にペレット形状の永久磁石１１ａ、１３ａを相互に同じ極が向かい合うように対称に多数個を積層配列した多数個の固定磁石棒１１と標準磁石棒１３及び前記各固定磁石棒１１と標準磁石棒１３を固定させるためにその上・下側に具備した上部板１４ａ及び下部板１４ｂとからなる。
【００４３】
即ち、前記磁石組立体１０はペレット形状からなり、その内部にＮ極はＮ極同士、Ｓ極は  Ｓ極同士相互に向かい合うように対称に積層配列された多数個の永久磁石１１ａ、１３ａを有し、放射状に配列される固定磁石棒１１と標準磁石棒１３及び前記固定磁石棒１１と標準磁石棒１３の上・下側端部に具備する前記固定磁石棒１１及び標準磁石棒１３を固定及び支持するための上部板１４ａ及び下部板１４ｂからなる。
【００４４】
ここで、前記固定磁石棒１１と標準磁石棒１３は、その内部に所定の空間を有する棒状体形状に形成して、その上端及び下端には、それぞれ上端栓１１ｂ、１３ｂ及び、下部棒端栓１１ｃ、１３ｃを接合する。
【００４５】
一方、前記固定磁石棒１１及び標準磁石棒１３の上端及び下端に設けられる上端栓１１ｂ、１３ｂ及び下端栓１１ｃ、１３ｃは、各磁石棒１１、１３内に流体が流入されることを防止するために各磁石棒１１、１３端部に気密溶接される溶接部１１ｄ、１３ｄを各々有する。
【００４６】
そして、前記固定磁石棒１１の上側端部に接合される上端栓１１ｂには止め具１１ｆを形成して、前記下端栓１１ｃには前記止め具１１ｆと対応する形状の止め具収容部１１ｇを形成する。即ち、多数個の固定磁石棒１１と標準磁石棒１３からなる磁石組立体１０を垂直方向に積層配列してその長さを増加させる場合、前記固定磁石棒１１の上端栓１１ｂの止め具１１ｆに、また他の固定磁石棒１１下端栓１１ｃの止め具収容部１１ｇを係合させてその長さを増加させるために、上端栓１１ｂ・下端栓１１ｃには止め具１１ｆと止め具収容部１１ｇを形成する。
【００４７】
前記のような構造によって前記固定磁石棒１１の上・下側端部に接合される上端栓１１ｂ・下端栓１１ｃの止め具１１ｆ及び止め具収容部１１ｇによって多数個の固定磁石棒１１及び標準磁石棒１３からなる２個以上の磁石組立体１０を直列に相互連結して積層配列させることができ、前記止め具１１ｆと止め具収容部１１ｇの係合によって積層配列される２個以上の磁石組立体１０の移動が防止される。
【００４８】
ここで、前記固定磁石棒１１と標準磁石棒１３内に積層配列される永久磁石１１ａ、１３ａは、１０個以上からなることが好ましく、前記永久磁石１１ａ、１３ａはコバルト／ニッケル系またはネオジム（５，０００〜１０，０００Ｇ）が好ましい。
【００４９】
即ち、各永久磁石１１ａ、１３ａの触れ合う隙間部分から放出される高い磁場領域を磁石棒１１、１３の長さ当たり多くする一方、磁場が低く形成される永久磁石１１ａ、１３ａの本体の長さを最小化させるために前記各磁石棒１１、１３内部に積層配列される永久磁石１１ａ、１３ａは、できるだけ厚みの薄い（５ｍｍ〜１０ｍｍ）磁石を使用し、複数個（１０〜２０個）装着するように構成する。
【００５０】
一方、前記固定磁石棒１１と標準磁石棒１３内に積層配列されるペレット形状の永久磁石１１ａ、１３ａの間には各永久磁石１１ａ、１３ａの間隔を最小化するために磁石間隔板１１ｈ、１３ｈを介在させる。
【００５１】
ここで、多数個の固定磁石棒１１と標準磁石棒１３の上・下側端部の適所に円板形状体での上部板１４ａ及び下部板１４ｂには、前記固定磁石棒１１を結合して固定するための設置孔１４ｃ、１４ｆ及び流動する流体が通過するための流孔１４ｅ、１４ｈを規則的に多数個貫通形成する。
【００５２】
一方、前記固定磁石棒１１を上部板１４ａに貫通形成した設置孔１４ｃに結合した後、固定させるために前記上部板１４ａの設置孔１４ｃ外側に所定部分露出する上端栓１１ｂの止め具１１ｆには、平ワッシャー１１ｊとスプリングワッシャー１１ｉ及び六角ナット１１ｋを設置する。
【００５３】
前記のように、前記上部板１４ａの設置孔１４ｃに結合される固定磁石棒１１は、上端栓１１ｂの止め具１１ｆに順次に結合される平ワッシャー１１ｊとスプリングワッシャー１１ｉ及び六角ナット１１ｋによって上部板１４ａとの結合された状態を維持する。
【００５４】
一方、前記固定磁石棒１１の下側に具備する下端栓１１ｃには前記下部板１４ｂに貫通形成した設置孔１４ｆの直径より大きく形成した棒端栓突起１１ｅを具備して、前記固定磁石棒１１の上端栓１４ａの止め具１１ｆの外周面にはネジ切り部１１ｍを形成する。即ち、前記下部板１４ｂの設置孔１４ｆに結合される固定磁石棒１１の下端栓１１ｃには棒端栓突起１１ｅを具備して、前記上部板１４ａの設置孔１４ｃに結合する固定磁石棒１１の上端栓１１ｂの止め具１１ｆの外周面にネジ切り部１１ｍを形成して、前記固定磁石棒１１の上・下側に上部板１４ａ及び下部板１４ｂを結合する時、前記棒端栓突起１１ｅが
下部板１４ｂを支持し、上端栓１１ｂの止め具１１ｆに形成したネジ切り部１１ｍに六角ナット１１ｋを結合させる。
【００５５】
これにより、前記上部板１４ａ及び下部板１４ｂに結合される各固定磁石棒１１の結合及び固定力が向上する。
一方、前記上部板１４ａ及び下部板１４ｂの一側面の適所には標準磁石棒１３を安着させるための設置ホーム１４ｄ、１４ｇを規則的に多数個形成する。即ち、前記上部板１４ａ及び下部板１４ｂの下部面及び上部面の適所には標準磁石棒１３の上・下側端部を安着させて標準磁石棒１３を固定するための設置ホーム１４ｄ、１４ｇを規則的に多数個形成する。
【００５６】
ここで、前記標準磁石棒１３の端部にスプリングワッシャー１３ｉを具備し、前記スプリングワッシャー１３ｉによって前記上部板１４ａ及び下部板１４ｂに結合する標準磁石棒１３の隙間及び揺れを防止する。
【００５７】
一方、多数個の標準磁石棒１３と固定磁石棒１１からなる磁石組立体１０の中心部の適所に円板形状体で、多数個の間隔孔１６ｃを規則的に貫通形成された間隔板１６を具備する。即ち、多数個の固定磁石棒１１及び標準磁石棒１３からなる磁石組立体１０の中心部の適所に各固定磁石棒１１と標準磁石棒１３の間隔を一定に維持させるための間隔孔１６ｃを規則的に多数個貫通形成した間隔板１６を具備し、前記間隔孔１６ｃは前記固定磁石棒１１及び標準磁石棒１３を挿設するために、それらに対応する直径を有するよう形勢する。
【００５８】
前記のように、磁石組立体１０の中心部の適所に具備する間隔板１６によって多数個具備される固定磁石棒１１と標準磁石棒１３の間の間隔が一定化され、流動する流体に同一な磁力を発散することができる。
【００５９】
ここで、前記固定磁石棒１１の外周面には間隔管１５、１５' を設け、該間隔管１５、１５' は固定磁石棒１１と標準磁石棒１３の間の距離を一定に維持するだけではなく、間隔板１６の上・下部面に位置することで前記間隔板１６の位置を固定させる。
【００６０】
即ち、前記固定磁石棒１１の外周面に間隔管１５、１５' を各々設けて、該間隔管１５と間隔管１５' の間に間隔板１６が位置するようにすることにより、前記固定磁石棒１１と標準磁石棒１３の中心部に設置される間隔板１６の位置を固定させる。
【００６１】
一方、前記間隔板１６には流動する流体を通過させるための流孔１６ａを貫通形成する。
前記のように、前記固定磁石棒１１及び標準磁石棒１３の上・下側及び中心部適所に具備される上部板１４ａ及び下部板１４ｂ、及び間隔板１６によって多数個の固定磁石棒１１及び標準磁石棒１３が堅固に組み立て及び固定されることにより、前記固定磁石棒１１及び標準磁石棒１３に流体の流動による震動及び摩耗が発生しない。
【００６２】
本発明の一実施例では、前記上部板１４ａ及び下部板１４ｂの中心部に１個の設置孔１４ｃ、１４ｆを貫通形成して、該設置孔１４ｃ、１４ｆを基準に上部板１４ａ及び下部板１４ｂの外側円周方向に３個の設置孔１４ｃ、１４ｆを貫通形成して、前記上部板１４ａ及び下部板１４ｂの中心に形成される設置孔１４ｃ、１４ｆを中心に近接した外側の適所円周方向に６個の設置ホーム１４ｄ、１４ｇを形成し、前記６個の設置ホーム１４ｄ、１４ｇに近接した外側の適所円周方向に９個の設置ホーム１４ｄ、１４ｇを形成した。
【００６３】
即ち、前記固定磁石棒１１は、前記上部板１４ａ及び下部板１４ｂの中心部に１個が挿
設され、中心部を基準に上部板１４ａ及び下部板１４ｂの円周方向に３個を挿設して、前記標準磁石棒１３は前記上部板１４ａ及び下部板１４ｂの中心部に挿設した固定磁石棒１１を基準に近接する外側適所円周方向に６個を結合して、該６個の標準磁石棒１３に近接する外側適所円周方向に９個を結合して成り立っている。
【００６４】
ここで、前記上部板１４ａ及び下部板１４ｂには３個の設置孔１４ｃ、１４ｆと９個の設置ホーム１４ｄ、１４ｇが所定配列され、前記上部板１４ａ及び下部板１４ｂの適所に多数個の流孔１４ｅ、１４ｈを規則的に多数個貫通形成する。
【００６５】
一方、本発明の一実施例では、前記上部板１４ａ及び下部板１４ｂの中心部に１個の設置孔１４ｃ、１４ｆを貫通形成して、該設置孔１４ｃ、１４ｆを基準に上部板１４ａ及び下部板１４ｂの円周方向に３個の設置孔１４ｃ、１４ｆを貫通形成し、前記上部板１４ａ及び下部板１４ｂの設置孔１４ｃ、１４ｆを中心に近接する外側適所に円周方向に６個の設置ホーム１４ｄ、１４ｇを形成し、該６個の設置ホーム１４ｄ、１４ｇに近接する外側適所に円周方向に９個の設置ホーム１４ｄ、１４ｇを形成する構造からなっているが、図１１に示しているように、前記上部板１４ａの中心に設置ホーム１４ｄを形成して、前記設置ホーム１４ｄの近接する外側適所に円周方向に６個の設置ホーム１４ｄを形成し、該６個の設置ホーム１４ｄの近接する外側適所に円周方向に８個の設置ホーム１４ｄを形成して、前記上部板１４ａの中心に形成する設置ホーム１４ｄを基準に外側適所に円周方向に４個の設置孔１４ｃを貫通形成することも可能である。ここで、前記上部板１４ａの下部適所に具備される下部板も上部板と対応するように形成する。
【００６６】
本発明の一実施例では、前記磁石組立体１０を成す固定磁石棒１１と標準磁石棒１３及び前記固定磁石棒１１及び標準磁石棒１３を設置するための上部板１４ａ及び下部板１４ｂの設置孔１４ｃ、１４ｆ、設置ホーム１４ｄ、１４ｇ、流孔１４ｅ、１４ｈの配置を規則的に配列するように構成しているが、各磁石棒１１、１３内に積層配列される永久磁石１１ａ、１３ａから発生する磁力の強さを最大化させることさえできれば、前記磁石組立体１０の各磁石棒１１、１３及び前記各磁石棒１１、１３が設置されるための上部板１４ａ及び下部板１４ｂの設置孔１４ｃ、１４ｆ、設置ホーム１４ｄ、１４ｇ、流孔１４ｅ、１４ｈの配置を不規則的に構成することも可能であり、その他多様な配列及び分布による構成も可能である。
【００６７】
ここで、前記上部板１４ａ及び下部板１４ｂの間に介在する間隔板１６の間隔孔１６ｃの配列は、前記上部板１４ａ及び下部板１４ｂの配列と対応するようにして、前記上部板１４ａ及び下部板１４ｂ及び間隔板１６に流体の流動のために多数個貫通形成する流孔１４ｅ、１４ｈ、１６ａは、その直径が互いに異なるように形成する。
【００６８】
本発明の一実施例では、多数個貫通形成される各流孔１４ｅ、１４ｈ、１６ａの直径が互いに異なるように形成しているが、前記上部板１４ａ及び下部板１４ｂ及び間隔板１６に貫通形成する各流孔１４ｅ、１４ｈ、１６ａの直径が同一であることも可能である。
【００６９】
前記のように、前記上部板１４ａ及び下部板１４ｂに形成される設置孔１４ｃ、１４ｆ、設置ホーム１４ｄ、１４ｇ、流孔１４ｅ、１４ｈと前記間隔板１６に形成される間隔孔１６ｃは、相互に所定距離離隔するように構成することにより、各々に設置される固定磁石棒１１及び標準磁石棒１３が一定の距離で稠密に組み立てられ、これにより流動する流体に同一な磁力を発散させることができる。
【００７０】
前記ハウジング３０は、前記磁石組立体１０を収容するためにその内部に所定の空間を有する円筒形状体で、上側を開放して形成し、開口部内周面に環形の内部オーリング３１を有する内部オーリング密着部３４を円周方向に形成して、開口部の端部に環形の外部オ
ーリング３２を有する外部オーリングホーム３５を円周方向に形成する。
【００７１】
一方、前記ハウジング３０は、その下側が下方向に向かって直径が小さくなる漏斗形状に形成し、所定直径の流路３０ａを有する。
ここで、前記ハウジング３０の上側開口部内周面に設けられる内部オーリング３１及び上側開口部の端部に具備する外部オーリング３２によって二重に気密に構成することにより、前記ハウジング３０と覆い５０の結合による気密性を二重に向上させ、前記内部オーリング３１によってハウジング３０内部に収容される磁石組立体１０の流動及び揺れを防止する。即ち、前記ハウジング３０の上側開口部内周面に具備する内部オーリング３１が、ハウジング３０の内部に収容される磁石組立体１０の上側適所に相接して、流体の流動による震動などで磁石組立体１０が流動及び揺れることを防止するだけでなく、ハウジング３０と覆い５０の気密をより堅固にし、前記外部オーリング３２は、覆い５０とハウジング３０の組み立て時に最終的に気密を確保する。
【００７２】
一方、前記ハウジング３０の内側下部適所に、磁石組立体１０を安着させるために設置する安着突起３７を円周方向に形成する。
前記覆い５０は、前記ハウジング３０の上側開口部に分離可能に結合し、その上側が上方向に向かって直径が小さくなる漏斗形状に形成して、所定直径の流路５０ａを有する。
【００７３】
一方、前記ハウジング３０と覆い５０はステンレス材質からなることが好ましいが、ハウジング３０と覆い５０の重量を減少させ、同一な構造及び性能が保障されれば前記ハウジング３０及び覆い５０を合成樹脂材質またはその他多様な材質で形成することも可能である。
【００７４】
ここで、前記ハウジング３０の下側外周面及び覆い５０の上側外周面の適所に連結ネジ切り部３３、５３を形成し、前記ハウジング３０の上側内周面及び覆い５０の下側外周面の適所にメスオス形状の組み立てネジ部３６、５６を結合可能に各々形成する。
【００７５】
即ち、前記ハウジング３０の下側外周面及び覆い５０の上側外周面の適所には既存に使用される水道管及び流体の流動のためのパイプに連結するために連結ネジ切り部３３、５３を形成して、前記ハウジング３０の上側内周面及び覆い５０の下側外周面の適所に前記ハウジング３０と覆い５０の結合のために相互対応するメスオス形状の組み立てネジ部３６、５６を各々形成する。
【００７６】
一方、前記ハウジング３０の上側外周面及び前記覆い５０の下側外周面の所定位置に前記ハウジング３０と覆い５０を着脱する場合、別途の工具を使用して組み立て及び分解可能にするようにするための８角形状の８角部３８、５８を形成する。
【００７７】
前記のように、多数個のペレット形状の永久磁石１１ａ、１３ａを有する固定磁石棒１１及び標準磁石棒１３を相互に一定距離を維持させて、ハウジング３０及び覆い５０の内部に多数個連結させて束形態に組み立てるように構成することで、各磁石棒１１、１３から発散される磁場と流体の接触面積を増大させるだけではなく、流動する流体が各々の磁石棒１１、１３の間を流動して最小の間隔を間に置いて同一極が向かい合うように積層配列された各永久磁石１１ａ、１３ａの接合部で反発力によって発生される磁力を最大限に等しく受けることができ、これにより流体を磁化させる。
【００７８】
このために前記固定磁石棒１１及び標準磁石棒１３を含む磁石組立体１０の各構成要素は、磁力の遮蔽が可能なステンレス材質からなることが好ましいが、同一極が相互に向かい合うように積層配列された各永久磁石１１ａ、１３ａの接合部から発生する磁力を最大化させて、流動する流体に同一な磁力を発散させることができれば、前記固定磁石棒１１
及び標準磁石棒１３を含む磁石組立体１０が合成樹脂材質またはその他多様な材質からなることも可能である。
【００７９】
一方、本発明の一実施例では前記磁石組立体１０を円筒形状体に形成し、該磁石組立体１０を収容するためのハウジング３０及び覆い５０の形状を円筒形状及びそれに対応する形状に形成しているが、前記磁石組立体１０の各磁石棒１１、１３から発散される磁力の強さを最大化させることさえできれば、磁石組立体１０及び前記磁石組立体１０を収容するためのハウジングを六角の棒状体形状に形成して、前記覆い５０もまたこれと対応する六角形状に形成することも可能で、四角または三角、楕円などの形態を有する棒状体形状に形成することも可能である。
【００８０】
ここで、前記磁石組立体１０内に形成する流孔１４ｅ、１４ｈ、１６ａの総面積は、覆い５０の端部に形成する流路３０ａの面積とほとんど同じになるようにハウジング３０内部に収容する磁石組立体１０の磁石棒１１、１３の数を調節することが好ましく、前記各磁石棒１１、１３内に積層配列する各永久磁石１１ａ、１３ａは同じ極同士最大限に近接させることで各永久磁石１１ａ、１３ａの接合部から発散される反発力によって磁場の強さを増加させて、流動する流体の流れと直交するように磁力を発生させることにより流動する流体に同一な磁力が発散される。
【００８１】
一方、本発明による磁化活性水製造装置１の各構成要素１０、３０、５０は、分解可能に組み立てることにより、修理及び維持補修を非常に容易にできる。
【発明の効果】
【００８２】
以上で説明したように本発明は、直径が小さなペレット形のネオジム（Ｎｄ）系永久磁石をステンレス製の管の中に同じ極が相互に向かい合うように配置させた磁石棒を構成して、多数個の磁石棒を放射状に配置することにより磁場と水の接触面積を向上させて、水の大きいクラスター構造を小さなものに変更して活性化させる。また、磁石棒に陰イオン及び遠赤外線放出天然石またはセラミックスをコーティング処理することによりシナジー効果を得ることができる。
【００８３】
また、本装置は分解可能な構造にすることで、脱着が容易で洗浄及び維持補修が簡便で、既存の水道管などの水管連結部位に直接的な連結が可能なだけではなく、水管内部に直接設置が可能で使用の便宜性を向上させ、水を効率的に活性化させることができる等の効果を得ることができる。
【００８４】
本発明による磁化活性水製造装置に水を通過させて水を滅菌させることで各種水因性疾患を予防するだけでなく、浄水場やプールで使用する塩素消毒薬である次亜塩素酸ナトリウムを減少させることができる。また、水の比熱が減少することにより水を加熱するのに必要なエネルギーを節約することができ、洗剤の使用量を減らしても同一な洗浄効果を得ることができる。さらに、水だけではなく、血液の活性化及び灯油、軽油、ガソリンなどの各種流体に適用可能である。
【発明を実施するための最良の形態】
【００８５】
以下、本発明による磁化活性水製造装置１の結合及び設置過程を説明する。
まず、前記固定磁石棒１１と標準磁石棒１３の内部にペレット形状の永久磁石１１ａ、１３ａを同じ極同士、即ちＮ極はＮ極同士、Ｓ極はＳ極同士相互に向かい合うように積層配列させる。
【００８６】
ここで、前記固定磁石棒１１と標準磁石棒１３の内部に積層配列される各永久磁石１１ａ、１３ａの間には、磁石間隔板１１ｈ、１３ｈを介在させて各永久磁石１１ａ、１３ａ
の間の距離を最小化する。
【００８７】
前記のように、前記固定磁石棒１１と標準磁石棒１３の内部に同じ極同士が向かい合うように多数個の永久磁石１１ａ、１３ａを積層配列した後、気密溶接によって溶接部１１ｄ、１３ｄを形成し、その上・下側端部に上端栓１１ｂ、１３ｂと下端栓１１ｃ、１３ｃを各々設置する。
【００８８】
このように前記固定磁石棒１１と標準磁石棒１３の結合が完了すると、下部板１４ｂに形成した各設置孔１４ｃに前記固定磁石棒１１を挿設する。ここで、前記固定磁石棒１１の下側端部に具備した下端栓１１ｃによって前記下部板１４ｂは前記固定磁石棒１１の下部適所に位置するようになる。
【００８９】
そして、前記固定磁石棒１１に間隔管１５' をはめて結合させた後、間隔板１６を設置して、設置された間隔板１６にまた他の間隔管１５をはめて結合させる。ここで、前記間隔板１６の各間隔孔１６ｃに、前記固定磁石棒１１に間隔管１５をはめて結合させる。
【００９０】
その次に、前記間隔板１６の各間隔孔１６ｃに標準磁石棒１３を挿設して、前記固定磁石棒１１と標準磁石棒１３の上側に設置孔１４ｃと設置ホーム１４ｄが形成された上部板１４ａを結合させる。
【００９１】
ここで、前記固定磁石棒１１は、前記上部板１４ａ及び下部板１４ｂの中心部に１個を挿設し、中心部を基準に上部板１４ａ及び下部板１４ｂの外側円周方向に３個を挿設し、前記標準磁石棒１３は前記上部板１４ａ及び下部板１４ｂの中心部に挿設した固定磁石棒１１を基準に近接する外側の適所に円周方向に６個を結合して、該６個の標準磁石棒１３の近接する外側適所円周方向に９個を結合させる。
【００９２】
ここで、前記標準磁石棒１３の上・下端部は、前記上部板１４ａ及び下部板１４ｂに形成した設置ホーム１４ｄ、１４ｇに安着させ、標準磁石棒１３の上・下端部と各設置ホーム１４ｄ、１４ｇの間にスプリングワッシャー１３ｉを位置させる。
【００９３】
前記のように、前記固定磁石棒１１と標準磁石棒１３の上側に上部板１４ａを設置した後、前記上部板１４ａの設置孔１４ｃ外側に所定部分露出する固定磁石棒１１の上端栓１１ｂの止め具１１ｆに平ワッシャー１１ｊとスプリングワッシャー１１ｉを結合させた後、前記止め具１１ｆの外周面に形成されたネジ切り部１１ｍに六角ナット１１ｋを締結して磁石組立体１０の結合を完了する。
【００９４】
ここで、前記磁石組立体１０に設置される多数個の固定磁石棒１１は、磁石組立体１０の固定機能を遂行する。
前記のように、結合が完了した磁石組立体１０をハウジング３０内に挿入して、前記ハウジング３０と覆い５０に設けられたメスオス形状の組み立てネジ部３６、５６を相互締結することにより本発明による磁化活性水製造装置１の結合を完了する。
【００９５】
ここで、前記ハウジング３０内部に収容される磁石組立体１０の下部板１４ｂは、ハウジング３０内部に形成した安着突起３７に相接して固定され、前記磁石組立体１０の上部板１４ａはハウジング３０の開口部内周面に具備した内部オーリング３１に相接するように構成することで、前記ハウジング３０内に収容される磁石組立体１０が固定される。
【００９６】
以下、本発明による磁化活性水製造装置１の磁化過程を説明する。
前記のように、各構成要素の結合が完了した磁化活性水製造装置１を水道管などに適用する場合、前記覆い５０に形成された流路５０ａを通じて水が流入し、流入した水がハウ
ジング３０内部に収容された磁石組立体１０を通過しながら磁化された後、ハウジング３０に形成された流路３０ａを通じて排出される。
【００９７】
ここで、前記磁石組立体１０を通過する水は、上部板１４ａに貫通形成され各々の直径が異なって形成された流孔１４ｅを通じて流入して、前記流孔１４ｅを通じて流入した水は各磁石棒１１、１３内に積層配列され同じ極が向かい合うように位置した各永久磁石１１ａ、１３ａの接合部から発散される磁力に垂直方向に接しながら磁化される。
【００９８】
即ち、前記磁石組立体１０の各磁石棒１１、１３内に同一極同士が相互に最短距離で積層配列された多数個の永久磁石１１ａ、１３ａの接合部で生成される反発力による強力な磁力によって流動する水が磁化され、各磁石棒１１、１３の磁力発散方向と垂直方向に水が流動するようにすることにより、流動する水に均一に磁力が発散されて水が活性化される。
【００９９】
このように磁石組立体１０の間を流動して磁化活性水に変化した水は、下部板１４ｂに貫通形成され各々の直径が異なって形成された流孔１４ｈ及びハウジング３０の流路３０ａを通じて外部に排出される。
【０１００】
ここで、前記磁石組立体１０の固定磁石棒１１及び標準磁石棒１３の外周面に陰イオン及び遠赤外線放出天然石またはセラミックスを単独または混合コーティング処理することにより、前記磁石組立体１０内を流動する水の活性化の上昇作用を期待することができる。
【０１０１】
本発明の一実施例では、前記磁石組立体１０の固定磁石棒１１及び標準磁石棒１３の外周面に陰イオン及び遠赤外線放出天然石またはセラミックスを単独または混合コーティング処理することにより、前記磁石組立体１０内を流動する水の活性化を向上させるように構成しているが、前記ハウジング３０及び覆い５０の内周面に陰イオン及び遠赤外線放出天然石またはセラミックスを単独または混合コーティング処理することも可能である。
【０１０２】
前記のように、前記磁化活性水製造装置１を一般的に使用する水道管などの水管連結部位に直接連結して使うことができ、前記磁化活性水製造装置１の両端部に形成される各連結ネジ切り部３３、５３に標準規格のネジを別に製作して設置することにより、建物または家庭の水道計量器部分に装着して家庭に流入する水などの流体を直接に磁化活性水にして使用することができる。また、農業用水、産業用水などにも適用可能なだけではなく、飲用水または生活用水の浄化施設が整っていない地域の給水施設に利用して水因性疾患の予防をすることができる。さらに、浄水場またはプールにこの装置を適用すれば塩素消毒薬である次亜塩素酸ナトリウムの量を大幅に減らすことができて肌及び眼球疾患の予防にも役に立つ。
【０１０３】
また、本発明による磁化活性水製造装置１を通じて製造される磁化活性水は、小さなクラスターに変わることによって水の比熱が２５〜３０℃で５％以下に減少することにより、家庭用ボイラーや蒸気発生器に適用すれば、湯を沸すのに必要なエネルギーを全体的に約１０％以上節約することができる。
【０１０４】
併せて、本発明による磁化活性水製造装置１は、医学分野及び各種車両に適用して血液の活性化及び燃費を向上させることができる等、その適用分野が広範囲である。
図１２は、本発明による磁化活性水製造装置の第２実施例を概略的に示した断面図で、本発明による磁化活性水製造装置の磁石組立体の数を変えてハウジング内部に収容した様子を示したものである。
【０１０５】
図１、図６、図７、図８を参照して説明すると、図示しているように、本実施例では固定磁石棒１１と標準磁石棒１３及び上部板１４ａ及び下部板１４ｂからなる磁石組立体１０をハウジング３０内部に２個設置する場合、前記ハウジング３０内部に磁石組立体１０を結合させた後、前記磁石組立体１０の上部にまた他の磁石組立体１０を積層設置し、ハウジング３０の長さは収容する磁石組立体１０の数または長さに比例して変更する。
【０１０６】
ここで、前記ハウジング３０内部に多数個の磁石組立体１０を設置する場合、ハウジング３０内部下側に磁石組立体１０を設置した後、また他の磁石組立体１０を直列に積層設置する。
【０１０７】
この時、ハウジング３０の内部下側に設置する磁石組立体１０の上部板１４ａに貫通形成される設置孔１４ｃの外側に突出形成される各固定磁石棒１１の上端栓１１ｂに突出形成された止め具１１ｆと、ハウジング３０の内部上側に設置されるまた他の磁石組立体１０の下部板１４ｂの外側に位置する各固定磁石棒１１の下端栓１１ｃの止め具収容部１１ｇを相互に重なる位置に位置させた後、ハウジング３０の下部に位置する各固定磁石棒１１の止め具１１ｆにハウジング３０上部に位置する各固定磁石棒１１の止め具収容部１１ｇを嵌合する。
【０１０８】
前記のように、前記磁石組立体１０の各固定磁石棒１１の上・下側に具備された上端栓１１ｂ・下端栓１１ｃの止め具１１ｆ及び止め具収容部１１ｇによって、多数個の磁石組立体１０を組み立てることができる。
【０１０９】
本実施例では、前記ハウジング３０内部に積層設置される磁石組立体１０が２個あるが、前記磁石組立体１０がそれ以上の個数からなることも可能であり、ここで前記磁石組立体１０の個数と対応させてハウジング３０の長さを別途で製作することが好ましい。
【０１１０】
一方、本実施例では前記ハウジング３０内部に長さ方向に多数個の磁石組立体１０を積層設置して構成しているが、前記ハウジング３０内に収容される磁石組立体１０をハウジング３０内周面に中心及び中心の外側円周方向、即ち放射状に多数個設置したり、ハウジング３０内に収容する磁石組立体１０をハウジング３０内周面に放射状に多数個設置した後、該多数の磁石組立体１０上側にまた他の磁石組立体１０を多数個設置してハウジング３０内部に流動する水などの流体に磁力を発散させることにより流体を活性化させて磁化活性水に変化させることも可能であり、ここでも前記ハウジング３０は多数個の磁石組立体１０を設置しやすい直径及び長さにする。
【０１１１】
ここで、前記磁石組立体１０及びハウジング３０と覆い５０を六角形状を有する棒状体に形成することも好ましい。
図１３は、本発明による磁化活性水製造装置の第３実施例を概略的に示した平面図で、図１４はＦ−Ｆ' 線での断面図で、本発明による磁化活性水製造装置の一部構造を変えたものである。
【０１１２】
図１、図６、図７、図８を参照して説明すれば、図示しているように、本実施例では前記磁化活性水製造装置１の磁石組立体１０内部に所定の空間を形成して血液が入った管などを保管するためのものである。
【０１１３】
そのために固定磁石棒１１と標準磁石棒１３を挿設するために前記上部板１４ａ及び下部板１４ｂに設置孔１４ｃ、１４ｆと設置ホーム１４ｄ、１４ｇを円周方向に形成し、前記設置孔１４ｃ、１４ｆと設置ホーム１４ｄ、１４ｇを相互に形成して、前記上部板１４ａの中心部に中央孔１４ｉを貫通形成して、前記下部板１４ｂの中心部に中央支持台１４ｊを形成する。
【０１１４】
一方、前記上部板１４ａ及び下部板１４ｂの間に結合される各々の固定磁石棒１１と標準磁石棒１３の長さ方向中心部に間隔板１６を具備する。該記間隔板１６は中心部に中央間隔孔１６ｂを有し、該中央間隔孔１６ｂの外側円周方向に多数個の間隔孔１６ｃを形成する円板形状体に形成する。
【０１１５】
本実施例では、前記上部板１４ａ及び下部板１４ｂの中心に中央孔１４ｉ及び中央支持台１４ｊを形成して、前記中央孔１４ｉ及び中央支持台１４ｊの外側円周方向に３個の設置孔１４ｃ、１４ｆ及び３個の設置ホーム１４ｄ、１４ｇを順次に形成しているが、それ以上またはそれ以下の個数で順次に形成することも可能である。
【０１１６】
ここで、前記上部板１４ａ及び間隔板１６の中心部に貫通形成される中央孔１４ｉ及び中央間隔孔１６ｂは、血液が入った管などの保管のための所定直径で形成することが好ましく、前記中央孔１４ｉ及び中央間隔孔１６ｂに位置する血液が入った管などは中央支持台１４ｊによって支持される。
【０１１７】
本実施例では前記下部板１４ｂの中心部に中央支持台１４ｊを形成しているが、前記下部板１４ｂの中心部を貫通形成して、前記上部板１４ａの中央孔１４ｉ及び下部板１４ｂの貫通形成した中心部を通じて血液供給用パイプを連結し、パイプ内を流動する血液に磁力を発散して血液を活性化させるように構成することも可能である。
【０１１８】
図１５は、本発明による磁化活性水製造装置の第４実施例を概略的に示した平面図で、図１６は、Ｇ−Ｇ' 線での断面図で、本発明による磁化活性水製造装置の磁石組立体１０を既存の配水管または水道管内に設置する様子を示したものである。
【０１１９】
図１、図６、図７、図８を参照して説明すると、図示しているように、本実施例は前記磁化活性水製造装置１の磁石組立体１０のみを既存の配水管、水道管または加湿器内の湿気出口管などに設置するためのものである。
【０１２０】
ここで、前記固定磁石棒１１及び標準磁石棒１３を挿設するために前記上部板１４ａ及び下部板１４ｂに設置孔１４ｃ、１４ｆと設置ホーム１４ｄ、１４ｇを円周方向に形成する。前記設置孔１４ｃ、１４ｆと設置ホーム１４ｄ、１４ｇを相互に形成して、前記上部板１４ａと下部板１４ｂ中心部に設置ホーム１４ｄ、１４ｇを形成する。
【０１２１】
即ち、前記上部板１４ａと下部板１４ｂの中心部に標準磁石棒１３を結合するための設置ホーム１４ｄ、１４ｇを各々形成して、前記設置ホーム１４ｄ、１４ｇを基準にその外側に標準磁石棒１３を結合するための設置ホーム１４ｄ、１４ｇ及び固定磁石棒１１を結合するための設置孔１４ｃ、１４ｆを円周方向に形成する。
【０１２２】
本実施例では、前記上部板１４ａ及び下部板１４ｂの中心に設置ホーム１４ｄ、１４ｇを形成して、前記設置ホーム１４ｄ、１４ｇの外側円周方向に３個の設置孔１４ｃ、１４ｆ及び３個の設置ホーム１４ｄ、１４ｇを順次に形成しているが、それ以上またはそれ以下の個数を順次に形成することも可能で、前記上部板１４ａ及び下部板１４ｂの中心に設置孔１４ｃ、１４ｆを貫通形成して前記固定磁石棒１１が結合するように構成することも可能である。
【０１２３】
一方、前記上部板１４ａ及び下部板１４ｂの長さ方向中心部に介在する間隔板１６は、前記上部板１４ａ及び下部板１４ｂと対応する位置に多数個の間隔孔１６ｃを有する。
ここで、多数個の固定磁石棒１１と標準磁石棒１３からなる磁石組立体１０を既存の配水管または水道管などの排出口１９内部に設置するために、前記磁石組立体１０の外周面
上・下側の適所に弾性を有し、環形に形成された収縮性ゴムリング１８を各々具備する。
【０１２４】
前記のような構造によって既存の配水管または水道管などの排出口１９内部に設置可能で、排出口１９の直径によって収縮性ゴムリング１８の直径を変えることにより簡便な設置が容易になるだけではなく、前記収縮性ゴムリング１８によって流体の流動による磁石組立体１０の離脱及び揺れを防止することができる。
【０１２５】
これにより、前記磁石組立体１０のみを設置することにより、流動する流体を活性化させることができ、流動する流体は前記磁石組立体１０の外周面を流動して排出される。
一方、前記上部板１４ａ及び下部板１４ｂ及び間隔板１６には、直径が異なる多数個の流孔１４ｅ、１４ｈ、１６ａを貫通形成し、前記各流孔１４ｅ、１４ｈ、１６ａを通じて流体が順次に流動しながら磁力が印加される。
【０１２６】
本実施例では前記収縮性ゴムリング１８を磁石組立体１０の上・下側外周面に各々具備しているが、前記磁石組立体１０の外周面に具備する収縮性ゴムリング１８の数をそれ以上またはそれ以下にすることも可能である。
【０１２７】
以上、本発明の好ましい実施例を例示的に説明したが、本発明の範囲はこのような特定実施例にのみ限定されるものではなく、該当分野で通常の知識を有する者なら本発明の特許請求の範囲に記載した範疇内で適切に変更が可能であろう。
【産業上の利用可能性】
【０１２８】
本発明による磁化活性水製造装置に水を通過させて水を滅菌させることで各種水因性疾患を予防するだけでなく、浄水場やプールで使用する塩素消毒薬である次亜塩素酸ナトリウムを減少させることができる。また、水の比熱が減少することにより水を加熱するのに必要なエネルギーを節約することができ、洗剤の使用量を減らしても同一な洗浄効果を得ることができる。さらに、水だけではなく、血液の活性化及び灯油、軽油、ガソリンなどの各種流体に適用可能である。
【図面の簡単な説明】
【０１２９】
【図１】本発明による磁化活性水製造装置を概略的に示す断面図。
【図２】Ａ−Ａ' 線での断面図。
【図３】Ｂ−Ｂ' 線での断面図。
【図４】本発明による磁化活性水製造装置の磁石組立体を概略的に示す平面図。
【図５】Ｃ−Ｃ' 線での断面図。
【図６】本発明による磁化活性水製造装置の磁石組立体に適用される固定磁石棒を概略的に示す断面図。
【図７】本発明による磁化活性水製造装置の磁石組立体に適用される標準磁石棒を概略的に示す断面図。
【図８】本発明による磁化活性水製造装置のハウジングと覆いを概略的に示す断面図。
【図９】Ｄ−Ｄ' 線での断面図。
【図１０】Ｅ−Ｅ' 線での断面図。
【図１１】本発明による磁化活性水製造装置の第１実施例を概略的に示す断面図。
【図１２】本発明による磁化活性水製造装置の第２実施例を概略的に示す断面図。
【図１３】本発明による磁化活性水製造装置の第３実施例を概略的に示す平面図。
【図１４】Ｆ−Ｆ' 線での断面図。
【図１５】本発明による磁化活性水製造装置の第４実施例を概略的に示す平面図。
【図１６】Ｇ−Ｇ' 線での断面図。
【符号の説明】
【０１３０】
１…磁化活性水製造装置、１０…磁石組立体、１１…固定磁石棒、１１ａ…永久磁石、１ｂ…上端栓、１１ｃ…下端栓、１１ｄ…溶接部、１１ｅ…棒端栓突起、１１ｆ…止め具、１１ｇ…止め具収容部、１１ｈ…磁石間隔板、１１ｉ…スプリングワッシャー、１１ｊ…平ワッシャー、１１ｋ…六角ナット、１１ｍ…ネジ切り部、１３…標準磁石棒、１３ａ…永久磁石、１３ｂ…上端栓、１３ｃ…下端栓、１３ｄ…溶接部、１３ｈ…磁石間隔板、１３ｉ…スプリングワッシャー、１４ａ…上部板、１４ｂ…下部板、１４ｃ…設置孔、１４ｄ…設置ホーム、１４ｅ…流孔、１４ｆ…設置孔、１４ｇ…設置ホーム、１４ｈ…流孔、１４ｉ…中央孔、１４ｊ…中央支持台、１５、１５' …間隔管、１６…間隔板、１６ａ…流孔、１６ｂ…中央間隔孔、１６ｃ…間隔孔、１８…収縮性ゴムリング、１９…排出口、３０…ハウジング、３０ａ…流路、３１…内部オーリング、３２…外部オーリング、３３…連結ネジ切り部、３４…内部オーリング密着部、３５…外部オーリングホーム、３６…組み立てネジ部、３７…安着突起、３８…８角部、５０…覆い、５０ａ…流路、５３…連結ネジ切り部、５６…組み立てネジ部、５８…８角部。
【図１】
2007181817.tif 000003
【図２】
2007181817.tif 000004
【図３】
2007181817.tif 000005
【図４】
2007181817.tif 000006
【図５】
2007181817.tif 000007
【図６】
2007181817.tif 000008
【図７】
2007181817.tif 000009
【図８】
2007181817.tif 000010
【図９】
2007181817.tif 000011
【図１０】
2007181817.tif 000012
【図１１】
2007181817.tif 000013
【図１２】
2007181817.tif 000014
【図１３】
2007181817.tif 000015
【図１４】
2007181817.tif 000016
【図１５】
2007181817.tif 000017
【図１６】
2007181817.tif 000018